(57)【特許請求の範囲】
【請求項１】
室外熱交換器と、この室外熱交換器用の送風機と、２つの圧縮機と、上記圧縮機をそれぞれ可変速駆動するインバータ装置と、前記送風機を可変速駆動するインバータ装置とを備えた空気調和機の室外機において、
前記圧縮機駆動用インバータ装置は、コンバータ部とインバータ部とを有し、一方の圧縮機駆動用インバータ装置はそのコンバータ部の出力が前記送風機駆動用インバータ装置のインバータ部に供給されるように接続されるとともに、前記送風機の送風により冷却される位置に、前記圧縮機駆動用インバータ装置および前記送風機用インバータ装置の各々に取り付けられる放熱板が設置され、発熱量が大きい前記一方の圧縮機駆動用インバータ装置は、発熱量が小さい他方の圧縮機駆動用インバータ装置よりも風上側に配置され、前記送風機駆動用インバータ装置のインバータ部は、前記圧縮機駆動用インバータ装置よりも風下側に配置されたことを特徴とする空気調和機の室外機。
【発明の詳細な説明】
【０００１】
【発明の属する技術分野】
本発明はヒートポンプ式空気調和機の室外機に係り、特に、２つの圧縮機を可変速駆動するインバータ装置の冷却構造を改善した空気調和機の室外機に関する。
【０００２】
【従来の技術】
従来この種の空気調和機には室内機と室外機とを分離させたスプリット型タイプのものがあり、このスプリット型空気調和機に用いられる室外機には、圧縮機やアキュムレータを収容する機械室と、室外熱交換器や室外ファン等を収容する熱交換室とが仕切板で仕切られたものがある。
【０００３】
また、スプリット型空気調和機には、能力向上のために室外機に２つの圧縮機を備え、各圧縮機をインバータ装置で可変速駆動させ、併せて大きな冷暖房能力を得るようにしたものが考えられている。
【０００４】
一方、空気調和機の圧縮機を可変速駆動させるインバータ装置は、コンバータ部やインバータ部に各発熱部品を備えているため、冷却が必要となる。
【０００５】
従来のインバータ装置の冷却は、特開２００１−２０１１０８号公報に示すように、アルミニウム製の放熱板にインバータ装置の各発熱部品を取り付けることにより行なわれ、放熱板には各発熱部品の発熱に対し、充分な放熱面積を有するように設計されている。
【０００６】
【発明が解決しようとする課題】
放熱板の放熱面積を充分に確保しようとすると、放熱板を大形状化させる必要があり、インバータ装置が大型化する虞がある。
【０００７】
一方、空気調和機の室外機は、構造的な制約や防水等の観点、さらには設置スペース上の要請から小型化、コンパクト化の要請があり、この要請からインバータ装置を取り付ける放熱板はできる限り小さいことが望まれる。
【０００８】
また、空気調和機の能力向上のために２つの圧縮機を備え、各圧縮機をそれぞれのインバータ装置で可変速駆動させるものでは、各圧縮機にインバータ装置がそれぞれ必要となる。このため、インバータ装置が占める面積も２倍となり、放熱板の小型化だけでなく、インバータ機能を損なうことなく、有効的に発揮させるためには、放熱板の冷却配置構造を如何に構成したらよいか問題となっている。
【０００９】
本発明は、上述した事情を考慮してなされたもので、２つの圧縮機を可変速駆動するインバータ装置を効率よく安定的に冷却させ、インバータ装置の信頼性を向上させて、空気調和機の運転自由度を向上させた空気調和機の室外機を提供することを目的とする。
【００１０】
本発明の他の目的は、各インバータ装置からの発熱量を考慮して、放熱板を冷却風の通路に効率よく有効的に配置し、放熱板の小型・コンパクト化を図るとともに、発熱部品の信頼性を向上させた空気調和機の室外機を提供するにある。
【００１２】
【課題を解決するための手段】
本発明に係る空気調和機の室外機は、上述した課題を解決するために、請求項１に記載したように、室外熱交換器と、この室外熱交換器用の送風機と、２つの圧縮機と、上記圧縮機をそれぞれ可変速駆動するインバータ装置と、前記送風機を可変速駆動するインバータ装置とを備えた空気調和機の室外機において、
前記圧縮機駆動用インバータ装置は、コンバータ部とインバータ部とを有し、一方の圧縮機駆動用インバータ装置はそのコンバータ部の出力が前記送風機駆動用インバータ装置のインバータ部に供給されるように接続されるとともに、前記送風機の送風により冷却される位置に、前記圧縮機駆動用インバータ装置および前記送風機用インバータ装置の各々に取り付けられる放熱板が設置され、発熱量が大きい前記一方の圧縮機駆動用インバータ装置は、発熱量が小さい他方の圧縮機駆動用インバータ装置よりも風上側に配置され、前記送風機駆動用インバータ装置のインバータ部は、前記圧縮機駆動用インバータ装置よりも風下側に配置したものである。
【００１６】
【発明の実施の形態】
本発明に係る空気調和機の室外機の実施の形態を添付図面を参照して説明する。
【００１７】
図１は、本発明に係る空気調和機の室外機の第１実施形態を示すもので、スプリット型空気調和機に適用した冷凍サイクル図である。
【００１８】
このスプリット型空気調和機１０は、並設された２つの圧縮機１１，１２を備えており、数馬力（ＨＰ）から１０数馬力、例えば１０馬力程度の大きな冷暖房能力を有する。
【００１９】
圧縮機１１，１２で圧縮された高温・高圧吐出冷媒は、実線矢印Ａで示すように、四方弁１３を経て室内熱交換器１４に送られ、この室内熱交換器１４で室内ファン１５により室内空気と熱交換され、室内を暖房する一方、室内を暖房することにより冷却され、凝縮された冷媒は膨張機構としての可逆式膨張弁１６で膨張し、減圧されて室外熱交換器１７に案内され、ここで室外ファン１８により周囲の熱を奪って蒸発する。蒸発した冷媒は、四方弁１３からアキュムレータ１９を経て圧縮機１１，１２に還流され、再び圧縮作用を受けるように、ヒートポンプ式の冷凍サイクル２０が構成される。
【００２０】
冷房運転は四方弁１３を切り換えることにより行なわれ、この冷房運転時には、冷媒は破線部分Ｂで示すように、冷凍サイクル２０内を流れる。
【００２１】
また、インバータ装置２１，２２は、図２に示すように構成され、電源周波数を整流化させるコンバータ部２６と、コンバータ部２６で整流化された電流を平滑回路としての平滑コンデンサ２７を経て所望の出力周波数に変換するインバータ部２８とを有する。インバータ部２８からの出力周波数により、圧縮機１１，１２のコンプレッサモータ２９が所要の運転周波数で運転される。
【００２２】
インバータ装置２１，２２のコンバータ部２６は、複数の整流ダイオードを組み合せて整流回路として構成され、また、インバータ部２８は、複数のスイッチングトランジスタを組み合せて逆変換回路として構成される。いずれにしても、インバータ装置２１，２２の少なくともコンバータ部２６およびインバータ部２８の電気部品は多数の発熱部品で形成されている。
【００２３】
なお、図１において、室外ファン１８は、例えば三相交流電源２３に接続され、この電源２３からの通電により、ファン駆動させるようになっている。
【００２４】
一方、並設された２つの圧縮機１１，１２は、インバータ装置２１，２２によりそれぞれ可変速駆動され、圧縮機１１，１２のコンプレッサモータの運転周波数が制御される。各インバータ装置２１，２２は、三相交流電源２３に接続される一方、インバータ出力周波数制御手段としてのインバータ制御回路２４に電気的に接続され、このインバータ制御回路２４からの出力信号により、各インバータ装置２１，２２の出力周波数が制御される。
【００２５】
インバータ制御回路２４は、図３に示すように、一方のインバータ装置、例えば２１の出力周波数が、他方のインバータ装置、例えば２２の出力周波数より、周波数差Δｆがあるように、好ましくは数Ｈｚ程度以下、例えば１Ｈｚ〜２Ｈｚ程度大きさとなるように、両インバータ装置２１，２２の作動制御をしている。出力周波数要求能力がＦ（Ｈｚ）であるとき、両インバータ装置２１，２２の出力周波数を（Ｆ／２＋Δｆ／２）と（Ｆ／２−Δｆ／２）に分配し、両インバータ装置２１，２２の出力周波数に周波数差Δｆだけ若干異ならせることにより、両圧縮機１１，１２に生じる固有振動数を異ならせ、運転中に共振現象が生じるのを未然に防止し、運転騒音の軽減を図っている。
【００２６】
また、インバータ装置２１，２２からの出力周波数の周波数差Δｆを１〜２Ｈｚ程度と小さくしているのは、両圧縮機１１，１２内の圧力をほぼ圧力バランスさせ、均油管２５により潤滑油の片寄りを防止するためである。両圧縮機１１，１２内の圧力が異なると、圧力のアンバランスにより、一方の圧縮機の潤滑油が他方の圧縮機に均油管２５を通して案内され、潤滑油不足が生じる虞があり、これを防止するためである。
【００２７】
ところで、空気調和機１０は図４、図５および図６に示すように室外機３０が構成される。
【００２８】
図４は本発明に係るスプリット型ヒートポンプ式空気調和機１０の室外機３０を示す外観斜視図、図５は室外機３０の一部を分解して示す分解斜視図、図６は図５の平面図である。これらの図に示すように、室外機３０は、その上部に平断面が例えば矩形の熱交換室３１が形成される一方、その下方に機械室３２が形成され、これら熱交換室３１と機械室３２とは仕切板３３で仕切られている。上記熱交換器３１と機械室３２の外周を複数枚の側板パネル３４により囲んで外周壁を形成すると共に、その上面開口である熱交換室３１の上面を有蓋偏平角筒状の天板３５により閉じることによりユニットケースを構成している。
【００２９】
天板３５は蓋部３５ａのほぼ中央部には例えば円形の空気吹出口３６を形成し、この空気吹出口３６に円筒状のファンケーシング３７を同心状に一体または一体的に突設し、このファンケーシング３７内に室外ファン１８を同心状に配設している。
【００３０】
図５に示すように機械室３２は、比較的厚い矩形平板鋼板等よりなる底板３９の左右両端部にＬ字状の左右一対の据付脚４０ａ，４０ｂを一体または一体的に設け、底板３９の各偶角部上に、例えばＬ形鋼等の複数の支柱４１を立設し、これら支柱４１，４１上に、仕切板としての有底偏平角筒状のドレン皿３３を載置固定し、このドレン皿３３により、その上方の熱交換室３１とその下方の機械室３２とにそれぞれ仕切る一方、一対の熱交換器１７から滴下されるドレンを受けて集水し角筒状のドレンダクト４４から排水するようになっている。
【００３１】
機械室３２は、その底板３９上に、圧縮機１１，１２やアキュムレータ１９等を配設する一方、これらを接続する配管類４５や図示しない室内ユニットの冷媒配管に接続される一対の配管接続弁（パックドバルブ）４６、電気部品箱４７、ドレンダクト４４をそれぞれ収容している。
【００３２】
図５に示すように電気部品箱４７は横長角筒状の箱本体内に例えば圧縮機１１，１２の回転数を制御するインバータ装置２１，２２（図１参照）や室外制御器等の電気部品を収容しており、箱本体の図中上端を例えばドレン皿３３の下底面に固定している。
【００３３】
そして、矩形のドレン皿３３の内底面（図５では上面）上には、ほぼ鈍角Ｌ字状にそれぞれ形成された左右一対の熱交換器１７を対向させて立設している。各熱交換器１７は、所定のピッチで配設された縦長矩形薄板よりなる多数の熱交換フィン１７ａと、これらのフィン１７ａの上端から下端までに上下方向に複数段に亘って並設されてこれらフィン１７ａを板厚方向に貫通する図示しない複数の熱交換管と、これら熱交換管の外端部で上下方向に隣り合うもの同士を順次連結して１本の蛇管状の冷媒流路をそれぞれ形成する複数のＵベンド１７ｂとを有する。これら熱交換器１７の冷媒流路同士は直列または並列に接続される。
【００３４】
さらに、熱交換器１７は、図６に示すように、上部と下部にて水平方向に延在する水平辺部１７ｃと、これら水平辺部１７ｃの各一端から鈍角でほぼＬ字状に折曲され、相互に対向する対向辺部１７ｄとを有する。
【００３５】
図６に示すように熱交換器１７が、平面視で略鈍角Ｌ字状に折曲されることによりＬ字状熱交換器１７の外側を囲むように各側板パネル３４が配置され、各側板パネル３４に対し熱交換器１７は所定角度αで内方へ傾斜しており、各側板パネル３４には、図４に示すように各熱交換器１７の熱交換部に対向して複数の吸込口３４ａがそれぞれ穿設される。これら吸込口３４ａにより、熱交換室３１の内外は連通されている。
【００３６】
そして、図５と図７に示すようにドレンダクト４４は、電気部品箱４７の内側面の近傍にて機械室３２を垂直方向に貫通するように配設されて、その上面開口４４ａはドレン皿３３を板厚方向に貫通してドレン排水口として開口し、一方、下面開口４４ｂは機械室底板３９を板厚方向に貫通して、底板３９よりも図中下方へ若干突出して終端し、室外機３０の据付け面ｇ上方にて開口している。
【００３７】
また、ドレンダクト４４は、内部を平板状の仕切壁５０により２分してドレン排水路５１と冷却風通路５２とに仕切られている。仕切壁５０は電気部品箱４７よりも下方に延び、ドレンダクト４４内の軸方向中間部まで延伸させて終端している。また、ドレンダクト４４内に形成されるヒートシンク冷却風通路５２は、ドレン皿３３を貫いて若干上方に突出して開口している。
【００３８】
そして、図７と図８に示すようにドレン排水口４４ａは、ドレン皿３３上に開口しており、ドレン皿３３上に集められたドレンは、ドレン排水口４４ａからドレン排水路５１を通って排出される。ドレン皿３３の上面はドレンをドレン排水口４４ａに集水させて排水効率を向上させるように、ドレン排水口４４ａに向けて下り傾斜されている。また、ドレン皿３３のドレン排水口４４ａから上方に若干突出して開口する通風口４４ｂには、ドレン皿３３に集められたドレンが冷却風通路５２に案内されるのを防止してある。
【００３９】
また、図７と図９に示すように、冷却風通路５２側のダクト側壁５３に、電気部品箱４７に収納されたヒートシンク５５を取り付ける取付孔５６が穿設されており、この取付孔５６内にヒートシンク５５を電気部品箱４７側からダクト４４側へ挿通させて取り付けており、このヒートシンク５５の取付により、ヒートシンク５５をダクト４４内の冷却風通路５２内に露出させている。
【００４０】
このように構成された室外機３０を具備したヒートポンプ式空気調和機１０を、暖房運転から除霜運転に切り換えると、室外熱交換器１７内を通るホットガス状の冷媒により室外熱交換器１７の外面の着霜が融霜してドレン水が発生する。このドレン水はドレン皿３３の上面（内底面）３３ａにより受けられ、この上面３３ａの傾斜によりドレンダクト４４のドレン排水口４４ａに集水され、図７において破線矢印Ｃに示すように、ドレンダクト４４のドレン排水路５１ｅを通って下面開口４４ｂから機械室底板３９の下方の据付け面ｇ上に排水される。
【００４１】
しかも、ドレンダクト４４は機械室３２内に収容され、各側板パネル３４の外部には全く露出しないので、違和感が無く、室外機３０の外観上の美観を損なうことなく、商品性を向上させることができる。
【００４２】
また、ドレンダクト４４の仕切壁５０の下端がドレンダクト４４の下面開口端４４ｂまで延伸せずに、その下面開口端４４ｂよりも所定高さ高い箇所で終端しているので、その高さ分だけドレン水が凍結して氷が成長し、この氷によりドレンダクト４４の下面開口端４４ｂを閉塞するまでの時間を確保することができる。このために、このドレンダクト４４を暖房運転中のドレン排水路として長時間使用することができる。
【００４３】
そして、ドレンダクト４４内を仕切壁５０によりドレン排水路５１と冷却風通路５２とにより軸方向に沿って仕切ると共に、この冷却風通路５２に連通する通風口５２ａをドレン排水口４４ａよりも所定高さ高くしているので、ドレン皿３３上のドレン水が通風口５２ａから冷却風通路５２内に侵入してヒートシンク５５に付着し、電気絶縁を低下させるのを防止することができる。
【００４４】
一方、この空気調和機を冷房運転する場合には、室外熱交換器１７にはドレンが発生しないが、室外ファン１８の回転により図７に示すように機械室底板３９よりも下方の空間の空気が、図中実線矢印Ｄに示すようにドレンダクト４４の下面開口４４ｂからその内部に吸い込まれ、ドレンダクト４４内の冷却風通路５２を通りヒートシンク５５を冷却してから熱交換室３１内に吸い込まれ、さらに図４に示す吹出口３６から外部へ排気される。したがって、ヒートシンク５５を充分に冷却することができる。暖房運転時にも、ドレンダクト４４内の冷却風通路５２を通る冷却風により、ヒートシンク５５は冷却される。
【００４５】
ところで、ドレンダクト４４内に形成される冷却風通路５２に上下方向に離間して配置されるヒートシンク５５は、放熱板５８をそれぞれ有する。放熱板５８はドレンダクト４４の取付孔５６から挿入され、冷却風通路５２内に突出して露出するように、ボルト等の締着手段で固定される。そして、各放熱板５８に電気部品箱４７側からインバータ装置２１，２２が取り付けられる。インバータ装置２１，２２は発熱量が小さなものを上方から順に配置する。
【００４６】
また、インバータ装置２１，２２からの発熱を放熱する各放熱板５８にはアルミニウム等の熱伝導性が優れた金属材料が用いられるが、その際、各放熱板５８に１枚以上の放熱フィンを取り付け、放熱板５８の放熱面積を増大させてもよい。この場合、放熱フィンは冷却風通路５２の長手方向に延設される。
【００４７】
さらに、図７には、冷却風通路５２に放熱板５８を上下方向に離間させて複数個設けた例を示したが、放熱板５８を縦長に１枚で形成し、１枚の放熱板５８に各インバータ装置２１，２２を発熱量を考慮して発熱量が小さなものから順に上方から下方に据え付けるようにしてもよい。この場合、放熱板５８の各伝導性を相俟って冷却風通路５２を通る冷却風で積極的に冷却し、各インバータ装置２１，２２の発熱量を抑制して各インバータ装置２１，２２の発熱温度をほぼ等しくすることができる。
【００４８】
発熱量が大きいインバータ装置を冷却風通路５２の風上側に、発熱量が小さなインバータ装置を冷却風通路５２の風下側に配置することにより、その逆に配置した場合より、風下側のインバータ装置の発熱温度を効果確認試験では、ＭＡＸ温度で数度程度、例えば６度低減させることができた。
【００４９】
このインバータ装置の発熱温度を、ＭＡＸ温度にて低減させることにより、インバータ装置の発熱部品の品質劣化を有効的に防止し、インバータ装置の信頼性を向上させることができ、インバータ装置はインバータ機能を長期に亘り、安定的に維持でき、発熱部品の品質保持、信頼性の向上を図ることができ、空気調和機の冷暖房運転の運転自由度を向上させることができる。
【００５０】
図１０は本発明に係る空気調和機の室外機の第２実施形態が適用される冷凍サイクルを示すものである。
【００５１】
図１０に示される空気調和機１０Ａにおいて、図１に示された空気調和機１０と同じ構成には同一符号を付して説明を省略する。
【００５２】
図１０に示された空気調和機１０Ａは、送風機としての室外ファン１８を可変速駆動させるインバータ装置６０を設け、このインバータ装置６０を圧縮機駆動用インバータ装置の一方２２に連係させる。そして、図１１に示すように、圧縮機駆動用インバータ装置２２のコンバータ部２６からの出力が送風機駆動用インタ装置６０のインバータ部６１に供給されるように電気的に接続したものである。このインバータ部６１からの出力周波数により室外ファン１８のファンモータ６２が運転制御されるようになっている。
【００５３】
図１０に示された空気調和機１０Ａは、室外機３０に備えられる２つの圧縮機１１，１２を２つのインバータ装置２１，２２で可変速駆動させ、室外ファン１８を別のインバータ装置６０で駆動させたものである。送風機駆動用インバータ装置６０は圧縮機駆動用インバータ装置の一方２２で作動制御される。
【００５４】
この場合、送風機駆動用インバータ装置６０と、このインバータ装置６０を作動制御させる圧縮機駆動用インバータ装置２２と、他の圧縮機駆動用インバータ装置２１との発熱量の大小は、一般的にインバータ装置２２＞インバータ装置２１＞インバータ装置６０の関係となる。
【００５５】
このため、図１２（Ａ）および（Ｂ）に示すように、最も発熱量が少ない送風機駆動用インバータ装置６０を一番上方に配置し、次に圧縮機駆動用インバータ装置２１を、最も発熱量が多い圧縮機駆動用インバータ装置２２を一番下方に配置する。
【００５６】
例えば、圧縮機駆動用インバータ装置２１，２２が同仕様であり、個々の発熱量が同じとなるように設計されていても、下方配置の圧縮機駆動用インバータ装置２２から室外ファン１８駆動用の電源（例えばＤＣ２８０Ｖ）を供給することで、両圧縮機駆動用インバータ装置２１，２２は発熱量に差が生じ、発熱量が少ないインバータ装置６０，２１，２２の順に上方から下方に向けて配置するように構成される。
【００５７】
各インバータ装置６０，２１および２２は、室外機３０の冷却風通路５２Ａを形成する仕切板６５に、図１２（Ａ）および（Ｂ）に示すように、複数の取付孔６６を上下方向に離間させて穿設し、各取付孔６６にアルミニウム製等の熱伝導特性の優れた放熱板６７を、冷却風通路５２Ａ内に突出するように露出させて小ねじ等の締着手段で固定し、各放熱板６７に上方から下方に向って各インバータ装置６０，２１および２２を順次取り付け、据え付けたものである。
【００５８】
各放熱板６７は、冷却風通路５２Ａ内に突出し、露出される一方、各放熱板６７に放熱用冷却フィンを一体に突設し、放熱面積を増大させ、各インバータ装置６０，２１，２２の冷却効率を向上させてもよい。
【００５９】
また、冷却風通路５２Ａは、図７に示すようにドレンダクト４４内に形成しても、さらに、ドレンダクト４４外に形成してもよい。ドレンダクト４４外に形成する場合にも、冷却風通路５２Ａは、仕切板６５により機械室３２内に形成され、室外ファン１８のファン駆動により、冷却風通路５２Ａに沿って冷却風が熱交換室３１側に吸い込まれるようになっている。
【００６０】
なお、図１０に示された空気調和機１０Ａにおいては、両圧縮機１１，１２をそれぞれ駆動させるインバータ装置２１，２２の一方を送風機駆動用インバータ装置６０に電気的に接続することにより、インバータ装置２１および２２に出力周波数の周波数差をもって両圧縮機１１，１２を可変制御する場合、出力周波数の小さなインバータ装置２２を風上側に、出力周波数の大きなインバータ装置２１を風下側に配置し、下側のインバータ装置２２から送風機駆動用インバータ装置６０に出力を供給するようにすると、各インバータ装置２１，２２の放熱量を均等化させることができる。また、インバータ制御回路２４を設けて両圧縮機駆動用インバータ装置２１，２２から出力される出力周波数Ｆに周波数差Δｆを設けることにより、圧縮機１１，１２の固有振動数を異ならせて共振現象の発生を未然にかつ確実に抑制でき、運転騒音を軽減させることができる。
【００６１】
また、各インバータ装置６０，２１および２２をそれぞれの放熱板６７，６７，６７に独立して取り付ける例を示したが、各放熱板の共通化を図って１枚の放熱板とし、この１枚の放熱板に各インバータ装置６０，２１および２２をその発熱量を考慮し、発熱量の小さなものから順次下方へ向って発熱量が大きなものとなるように、配置してもよい。
【００６２】
【発明の効果】
本発明に係る空気調和機の室外機においては、２つの圧縮機をそれぞれ可変速駆動するインバータ装置を各インバータ装置を効率よく安定的に冷却させることができるので、各インバータ装置の発熱部品を所要温度以下に保持し、各発熱部品の品質劣化を有効的に抑制し、各インバータ装置の信頼性を向上させ、インバータ機能を長期に亘り、安定的に保持でき、空気調和機の運転自由度を向上させることができる。
【００６３】
また、本発明に係る空気調和機の室外機は、各インバータ装置を取り付けた放熱板を冷却風通路に発熱量を考慮して風上側から風下側に、または放熱量が均等化されるように効率よく配置したので、空気調和機の冷暖房能力を大きくしても、放熱板の小型・コンパクト化が図れ、発熱部品を効率よく積極的に冷却して信頼性を向上させることができる。
【図面の簡単な説明】
【図１】本発明に係る空気調和機の室外機の一実施形態を示す冷凍サイクル図。
【図２】図１に示された空気調和機に組み込まれる圧縮機を可変速駆動させるインバータ装置を示す簡略的な回路図。
【図３】図１に示される空気調和機に組み込まれる２つの圧縮機に運転周波数差をもって運転させる各インバータ装置の出力周波数と要求能力との関係を示す図。
【図４】本発明に係る空気調和機の室外機の一実施形態を示す斜視図。
【図５】本発明に係る空気調和機の室外機の一実施形態を示すもので、本体ケーシングである側面パネルを取り外した室外機の平面図。
【図６】図５に示された空気調和機の室外機の平面図。
【図７】図５に示された空気調和機の室外機の機械室内に形成されるインバータ装置の冷却構造を示す断面図。
【図８】図５に示された空気調和機の室外機の機械室内におけるインバータ装置の冷却構造を熱交換室側から見た斜視図。
【図９】図５に示された空気調和機の室外機を簡略的に示す側面図。
【図１０】本発明に係る空気調和機の室外機の他の実施形態を示す冷凍サイクル図。
【図１１】図１０に示された空気調和機に組み込まれ圧縮機および室外ファンを可変速駆動させるインバータ装置の回路図。
【図１２】（Ａ）および（Ｂ）は図１０に示された空気調和機の室外機の機械室に設置されたインバータ装置の冷却構造を示す縦断面図および側面図。
【符号の説明】
１０，１０Ａ  空気調和機
１１，１２  圧縮機
１３  四方弁
１４  室内熱交換器
１５  室内ファン
１６  可逆式膨張弁（膨張機構）
１７  室外熱交換器
１８  室外ファン（送風機）
１９  アキュムレータ
２０  冷凍サイクル
２１，２２  インバータ装置
２３  三相交流電源
２４  インバータ制御回路（インバータ出力周波数制御手段）
２６  コンバータ部
２７  平滑コンデンサ
２８  インバータ部
３０  室外機
３１  熱交換室
３２  機械室
３３  仕切板（ドレン皿）
３４  側板パネル
３５  天板
３７  ファンケーシング
３９  底板
４１  支柱
４４  ドレンダクト
４４ａ  ドレン排水口
４５  配管類
４６  配管接続弁
４７  電気部品箱
５０  仕切壁
５１  ドレン排水路
５２  冷却風通路
５２ａ  通風口
５５  ヒートシンク
５６  取付孔
６０  送風機駆動用インバータ装置
６１  インバータ部
６２  ファンモータ
６５  仕切板
６６  取付孔
６７  放熱板
【図１】
0003965301.tif 000002
【図２】
0003965301.tif 000003
【図３】
0003965301.tif 000004
【図４】
0003965301.tif 000005
【図５】
0003965301.tif 000006
【図６】
0003965301.tif 000007
【図７】
0003965301.tif 000008
【図８】
0003965301.tif 000009
【図９】
0003965301.tif 000010
【図１０】
0003965301.tif 000011
【図１１】
0003965301.tif 000012
【図１２】
0003965301.tif 000013